(57)【要約】【課題】他の医用画像診断装置で開発された撮像条件を容易に入手し利用できる医用画像診断装置通信システムおよび医用画像診断装置を提供する。【解決手段】第１のＸ線ＣＴ装置２１とデータベース装置３０と第２のＸ線ＣＴ装置２２とは、ネットワークＮを介して、互いに、画像データＩａ，ＩｂおよびスキャンプロトコルＳａ，Ｓｂを交換することが出来る。【選択図】図４
2009072619.tif 000002
【特許請求の範囲】
【請求項１】
通信回線を介して第１の医用画像診断装置と第２の医用画像診断装置とデータベース装置とを接続してなる医用画像診断装置通信システムにおいて、
第１の医用画像診断装置は、患者をスキャンし、画像再構成処理を行って、画像を表示するとともに、通信回線を通じてデータベース装置へスキャンプロトコルを送信するスキャンプロトコル送信手段を具備し、
データベース装置は、通信回線を通じて、第１の医用画像診断装置からスキャンプロトコルを受信するとともに第２の医用画像診断装置へスキャンプロトコルを送信するスキャンプロトコル送受信手段を具備し、
第２の医用画像診断装置は、患者をスキャンし、画像再構成処理を行って、画像を表示するとともに、通信回線を通じてデータベース装置からスキャンプロトコルを受信するスキャンプロトコル受信手段及び受信されたスキャンプロトコルから所定のデータを抽出し当該データを当該装置のスキャンにおけるスキャンプロトコルに用いるスキャンプロトコル利用手段を具備し、
スキャンプロトコルは、スキャンパラメータ、画像再構成パラメータ及び患者情報を含んでいることを特徴とする医用画像診断装置通信システム。
【請求項２】
前記第１の医用画像診断装置及び前記第２の医用画像診断装置は、Ｘ線ＣＴ装置、ＭＲＩ装置及びＥＣＴ装置のうちのいずれかであるとともに、
前記スキャンプロトコルにおいて、
前記スキャンパラメータには、スキャン部位、スキャン種類、スキャンＦＯＶ、スキャン開始又は終了時のテーブル位置、スキャン時間、Ｘ線管の電圧、Ｘ線管の電流、スライス厚が含まれ、
前記画像再構成パラメータには、画像再構成の中心座標、画像再構成ＦＯＶ、ウィンドウレベルが含まれ、
前記患者情報には、氏名、性別、生年月日、年齢、特記事項が含まれることを特徴とする請求項１に記載の医用画像診断装置通信システム。
【請求項３】
患者をスキャンし、画像再構成処理を行って、画像を表示するとともに、通信回線を介してデータベース装置との間でデータを送受信する通信機能を有する医用画像診断装置において、
通信回線を通じてデータベース装置へスキャンプロトコルを送信するスキャンプロトコル送信手段と、
通信回線を通じて、データベース装置が他の医用画像診断装置から受信したスキャンプロトコルを当該データベース装置から受信するスキャンプロトコル受信手段と、
受信されたスキャンプロトコルから所定のデータを抽出し当該データを当該装置のスキャンにおけるスキャンプロトコルに用いるスキャンプロトコル利用手段とを具備し、
スキャンプロトコルは、スキャンパラメータ、画像再構成パラメータ及び患者情報を含んでいることを特徴とする医用画像診断装置。
【請求項４】
請求項３に記載の医用画像診断装置は、Ｘ線ＣＴ装置、ＭＲＩ装置及びＥＣＴ装置のうちのいずれかであるとともに、
前記スキャンプロトコルにおいて、
前記スキャンパラメータには、スキャン部位、スキャン種類、スキャンＦＯＶ、スキャン開始又は終了時のテーブル位置、スキャン時間、Ｘ線管の電圧、Ｘ線管の電流、スライス厚が含まれ、
前記画像再構成パラメータには、画像再構成の中心座標、画像再構成ＦＯＶ、ウィンドウレベルが含まれ、
前記患者情報には、氏名、性別、生年月日、年齢、特記事項が含まれることを特徴とする医用画像診断装置。
【発明の詳細な説明】
【技術分野】
【０００１】
この発明は、医用画像診断装置通信システムおよび医用画像診断装置に関する。さらに詳しくは、通信回線を介して他の医用画像診断装置との間で撮像条件を交換可能とした医用画像診断装置通信システムおよび医用画像診断装置に関する。
【背景技術】
【０００２】
図５は、従来の医用画像診断装置通信システムの一例の構成図である。この医用画像診断装置通信システムＳ５１は、ネットワークＮを介して第１のＸ線ＣＴ（Ｃomputed Tomography）装置５１と第２のＸ線ＣＴ装置５２とを接続した構成である。第１のＸ線ＣＴ装置５１と第２のＸ線ＣＴ装置５２とは、ネットワークＮを介して、画像データＩａ，Ｉｂを交換することが出来る。また、フロッピーディスクのような可搬記憶媒体Ｍを介して、スキャンプロトコル（Ｓcan Protocal）Ｓａ，Ｓｂを交換することが出来る。
【０００３】
図６は、Ｘ線ＣＴ装置５１の構成図である。Ｘ線ＣＴ装置５１は、入力装置１１と，計算機６２と，ＣＴスキャナ架台１３と，表示装置１４と，ハードディスク装置１５と，補助記憶装置１６と，通信インタフェース１７とを具備して構成されている。前記Ｘ線ＣＴ装置５２の構成も同様である。
【０００４】
操作者は、独自に開発したスキャンプロトコルＳａを入力装置１１を用いて設定するか、又は、他のＸ線ＣＴ装置５２で開発されたスキャンプロトコルＳｂを補助記憶装置１６から読み込ませる。計算機６２は、スキャンプロトコルＳａまたはＳｂをハードディスク装置１５に格納する。前記スキャンプロトコルＳａまたはＳｂは、スキャンパラメータ（Ｓcan Ｐarameter）、画像再構成用パラメータ（Ｒeconstruction Ｐarameter）、患者情報を含む。前記スキャンパラメータには、スキャン部位（頭部，胸部，腹，…）や，スキャン種類（スカウトスキャン，シングルスキャン，マルチスキャン，ダイナミックスキャン，ヘリカルスキャン）や，スキャンＦＯＶ（Ｆiled ｏf Ｖiew），スキャン開始または終了時のテーブル位置，ガントリチルト（スキャン時のガントリの傾き），スキャン時間，Ｘ線管の電圧，Ｘ線管の電流，スライス厚などが含まれる。前記画像再構成用パラメータには、画像再構成の中心座標や，画像再構成ＦＯＶ，ウィンドウレベル（ＣＴ値に対応した表示上のコントラスト設定値）などが含まれる。前記患者情報には、患者ＩＤ（患者識別のための記号や番号）や，氏名，性別，生年月日，年齢，特記事項などが含まれる。
【０００５】
計算機６２は、スキャンプロトコルＳａまたはＳｂ中のスキャンパラメータに基づいてＣＴスキャナ架台１３（具体的にはＸ線管，検出器，テーブルなど）の作動を制御して、患者Ｋをスキャンする。また、スキャンプロトコルＳａまたはＳｂ中の画像再構成用パラメータに基づいて画像再構成処理を行い、画像データＩａを生成する。そして、画像データＩａを表示装置１４に出力し、断層画像を表示する。また、画像データＩａをハードディスク装置１５に格納する。
【０００６】
また、計算機６２は、通信インタフェース１７を通じて画像データＩａをネットワークＮへ送り出し、他のＸ線ＣＴ装置５２へ送信する。また、他のＸ線ＣＴ装置５２からの画像データＩｂをネットワークＮから通信インタフェース１７を通じて受信し、表示装置１４に出力したり，ハードディスク装置１５に格納する。
【０００７】
また、計算機６２は、独自に開発したスキャンプロトコルＳａを補助記憶装置１６により可搬記憶媒体Ｍに書き出し、他のＸ線ＣＴ装置５２で利用できるようにする。
【０００８】
図７は、ネットワークＮ上の伝送データの概念図である。伝送データは、画像データＩａ（またはＩｂ）に付属情報Ｈａ（またはＨｂ）を付加した構成となる。付属情報Ｈａ（またはＨｂ）には、前記スキャンプロトコルＳａ（またはＳｂ）中の情報の一部（スキャン部位など）や，病院名などの情報が含まれる。
【発明の開示】
【発明が解決しようとする課題】
【０００９】
上記のように、従来の医用画像診断装置通信システムでは、第１の画像診断装置で開発された撮像条件を第２の画像診断装置で利用したい場合、可搬記憶媒体を介して撮像条件を入手しなければならかった。このため、「可搬記憶媒体への書出し」「可搬記憶媒体の運搬」「可搬記憶媒体からの読出し」の手間と時間がかかる問題点があった。また、手間と時間がかかるため、事実上、他の画像診断装置で開発された撮像条件を入手できないことも多かった。そこで、この発明の目的は、他の医用画像診断装置で開発された撮像条件を容易に入手し利用することが出来る医用画像診断装置通信システムおよび医用画像診断装置を提供することにある。
【課題を解決するための手段】
【００１０】
第１の観点では、この発明は、通信回線を介して第１の医用画像診断装置と第２の医用画像診断装置とを接続してなる医用画像診断装置通信システムにおいて、第１の医用画像診断装置は、通信回線を通じて第２の医用画像診断装置へ撮像条件設定用データを送信する撮像条件設定用データ送信手段を具備し、前記第２の医用画像診断装置は、通信回線を通じて前記第１の医用画像診断装置から撮像条件設定用データを受信する撮像条件設定用データ受信手段および受信した撮像条件設定用データから撮像条件を抽出して利用する撮像条件利用手段を具備することを特徴とする医用画像診断装置通信システムを提供する。
【００１１】
第２の観点では、この発明は、通信回線を介して第１の医用画像診断装置と第２の医用画像診断装置とデータベース装置とを接続してなる医用画像診断装置通信システムにおいて、第１の医用画像診断装置は、通信回線を通じてデータベース装置へ撮像条件設定用データを送信する撮像条件設定用データ送信手段を具備し、前記第２の医用画像診断装置は、通信回線を通じて前記データベース装置から撮像条件設定用データを受信する撮像条件設定用データ受信手段および受信した撮像条件設定用データから撮像条件を抽出して利用する撮像条件利用手段を具備することを特徴とする医用画像診断装置通信システムを提供する。
【００１２】
第３の観点では、この発明は、通信回線を介して他の医用画像診断装置との間でデータを送受信する通信機能を有する医用画像診断装置において、通信回線を通じて他の医用画像診断装置へ撮像条件設定用データを送信する撮像条件設定用データ送信手段と、通信回線を通じて他の医用画像診断装置から撮像条件設定用データを受信する撮像条件設定用データ受信手段と、受信した撮像条件設定用データから撮像条件を抽出して利用する撮像条件利用手段とを具備することを特徴とする医用画像診断装置を提供する。
【００１３】
第４の観点では、この発明は、通信回線を介してデータベース装置との間でデータを送受信する通信機能を有する医用画像診断装置において、通信回線を通じてデータベース装置へ撮像条件設定用データを送信する撮像条件設定用データ送信手段と、通信回線を通じてデータベース装置から撮像条件設定用データを受信する撮像条件設定用データ受信手段と、受信した撮像条件設定用データから撮像条件を抽出して利用する撮像条件利用手段とを具備することを特徴とする医用画像診断装置を提供する。
【００１４】
上記医用画像診断装置としては、Ｘ線ＣＴ装置，ＭＲＩ（Ｍagnetic Ｒesonance Ｉmaging）装置，ＥＣＴ（Ｅmission Ｃomputed Ｔomography）装置などが挙げられる。
【００１５】
上記第１の観点の医用画像診断装置通信システムでは、第１の医用画像診断装置で開発した撮像条件を撮像条件設定用データ送信手段によって撮像条件設定用データとして通信回線を通じて第２の医用画像診断装置へ送信する。第２の医用画像診断装置は、撮像条件設定用データ受信手段によって第１の医用画像診断装置から撮像条件設定用データを通信回線を通じて受信し、撮像条件利用手段によって撮像条件設定用データから撮像条件を抽出して利用する。これにより、第２の医用画像診断装置は、第１の医用画像診断装置で開発された撮像条件を容易に入手し利用することが出来るようになる。
【００１６】
上記第２の観点の医用画像診断装置通信システムでは、第１の医用画像診断装置で開発した撮像条件を撮像条件設定用データ送信手段によって撮像条件設定用データとして通信回線を通じてデータベース装置へ送信する。第２の医用画像診断装置は、撮像条件設定用データ受信手段によってデータベース装置から撮像条件設定用データを通信回線を通じて受信し、撮像条件利用手段によって撮像条件設定用データから撮像条件を抽出して利用する。これにより、第２の医用画像診断装置は、第１の医用画像診断装置で開発された撮像条件を容易に入手し利用することが出来るようになる。また、データベース装置を介するため、第１の医用画像診断装置の送信と第２の医用画像診断装置の受信とを同時に行う必要がなくなり、データベース装置を２４時間稼働にしておけば、時差のある外国からの撮像条件の入手も容易になる。
【００１７】
上記第３の観点の医用画像診断装置は、上記第１の観点による医用画像診断装置通信システムに好適に使用できる。上記第４の観点の医用画像診断装置は、上記第２の観点による医用画像診断装置通信システムに好適に使用できる。
【発明の効果】
【００１８】
この発明の医用画像診断装置通信システムおよび医用画像診断装置によれば、複数の画像診断装置の間で通信回線を介して撮像条件を容易に交換することが出来る。この結果、全系列病院で撮像条件を共有できる。また、新たに開発された撮像条件を迅速に試行することが出来る。特に、ヘリカルスキャンのような複雑なスキャンプロトコルを交換するのに有用である。
【発明を実施するための最良の形態】
【００１９】
以下、図に示す実施例によりこの発明をさらに詳しく説明する。なお、これによりこの発明が限定されるものではない。
【００２０】
−第１実施例−  図１は、この発明の第１実施例の医用画像診断装置通信システムの構成図である。この医用画像診断装置通信システムＳ１は、ネットワークＮを介して第１のＸ線ＣＴ装置１と第２のＸ線ＣＴ装置２とを接続した構成である。第１のＸ線ＣＴ装置１と第２のＸ線ＣＴ装置２とは、ネットワークＮを介して、画像データＩａ，ＩｂおよびスキャンプロトコルＳａ，Ｓｂを交換することが出来る。また、フロッピーディスクのような可搬記憶媒体Ｍを介して、スキャンプロトコルＳａ，Ｓｂを交換することが出来る。
【００２１】
図２は、Ｘ線ＣＴ装置１の構成図である。Ｘ線ＣＴ装置１は、入力装置１１と，計算機１２と，ＣＴスキャナ架台１３と，表示装置１４と，ハードディスク装置１５と，補助記憶装置１６と，通信インタフェース１７とを具備して構成されている。前記Ｘ線ＣＴ装置２の構成も同様である。
【００２２】
操作者は、独自に開発したスキャンプロトコルＳａを入力装置１１を用いて設定するか、又は、他のＸ線ＣＴ装置２で開発されたスキャンプロトコルＳｂをネットワークＮから通信インタフェース１７を通じて受信し利用するか、又は、他のＸ線ＣＴ装置２で開発されたスキャンプロトコルＳｂを補助記憶装置１６から読み込ませる。計算機１２は、スキャンプロトコルＳａまたはＳｂをハードディスク装置１５に格納する。前記スキャンプロトコルＳａまたはＳｂは、スキャンパラメータ、画像再構成用パラメータ、患者情報を含んでいる。
【００２３】
計算機１２は、スキャンプロトコルＳａまたはＳｂ中のスキャンパラメータに基づいてＣＴスキャナ架台１３の作動を制御して、患者Ｋをスキャンする。また、スキャンプロトコルＳａまたはＳｂ中の画像再構成用パラメータに基づいて画像再構成処理を行い、画像データＩａを生成する。そして、画像データＩａを表示装置１４に出力し、断層画像を表示する。また、画像データＩａをハードディスク装置１５に格納する。
【００２４】
また、計算機１２は、通信インタフェース１７を通じて画像データＩａをネットワークＮへ送り出し、他のＸ線ＣＴ装置２へ送信する。また、他のＸ線ＣＴ装置２からの画像データＩｂをネットワークＮから通信インタフェース１７を通じて受信し、表示装置１４に出力したり，ハードディスク装置１５に格納する。
【００２５】
また、計算機１２は、独自に開発したスキャンプロトコルＳａを通信インタフェース１７を通じてネットワークＮへ送り出し、他のＸ線ＣＴ装置２で利用できるようにする。また、独自に開発したスキャンプロトコルＳａを補助記憶装置１６により可搬記憶媒体Ｍに書き出し、ネットワークＮに接続されていないＸ線ＣＴ装置で利用できるようにする。
【００２６】
図３は、ネットワークＮ上の伝送データの概念図である。伝送データは、画像データＩａ（またはＩｂ）にスキャンプロトコルＳａ（またはＳｂ）と付属情報Ｈａ（またはＨｂ）とを付加した構成となる。
【００２７】
上記第１実施例の医用画像診断装置通信システムＳ１によれば、ネットワークＮを介して他のＸ線ＣＴ装置との間でスキャンプロトコルを容易に交換することが出来る。
【００２８】
−第２実施例−  図４は、この発明の第２実施例の医用画像診断装置通信システムの構成図である。この医用画像診断装置通信システムＳ１１は、ネットワークＮを介して第１のＸ線ＣＴ装置２１と第２のＸ線ＣＴ装置２２とデータベース装置３０とを接続した構成である。第１のＸ線ＣＴ装置２１と第２のＸ線ＣＴ装置２２とは、ネットワークＮを介して、画像データＩａ，ＩｂおよびスキャンプロトコルＳａ，Ｓｂをデータベース装置３０へ送信することが出来る。また、ネットワークＮを介して、画像データＩａ，ＩｂおよびスキャンプロトコルＳａ，Ｓｂをデータベース装置３０から受信することが出来る。
【００２９】
上記第２実施例の医用画像診断装置通信システムＳ１１によれば、ネットワークＮおよびデータベース３０を介して他のＸ線ＣＴ装置との間でスキャンプロトコルを容易に交換することが出来る。また、データベース３０にスキャンプロトコルを蓄積し、自由に利用することが出来る。
【図面の簡単な説明】
【００３０】
【図１】この発明の第１実施例の医用画像診断装置通信システムの構成図である。
【図２】この発明にかかるＸ線ＣＴ装置を示す構成図である。
【図３】この発明にかかる伝送データのデータ構造図である。
【図４】この発明の第２実施例の医用画像診断装置通信システムの構成図である。
【図５】従来の医用画像診断装置通信システムの構成図である。
【図６】従来のＸ線ＣＴ装置を示す構成図である。
【図７】従来の伝送データのデータ構造図である。
【符号の説明】
【００３１】
Ｓ１，Ｓ１１ 医用画像診断装置通信システム
１，２，２１，２２ Ｘ線ＣＴ装置
１１ 入力装置
１２ 計算機
１３ ＣＴスキャナ架台
１４ 表示装置
１５ ハードディスク装置
１６ 補助記憶装置
１７ 通信インタフェース
３０ データベース装置
Ｋ 患者
Ｍ 可搬記憶媒体
Ｎ ネットワーク
【図１】
2009072619.tif 000003
【図２】
2009072619.tif 000004
【図３】
2009072619.tif 000005
【図４】
2009072619.tif 000006
【図５】
2009072619.tif 000007
【図６】
2009072619.tif 000008
【図７】
2009072619.tif 000009